(57)【特許請求の範囲】
【請求項１】
同時に複数のシートを巻取って複数の巻取ロールを形成する、水平に伸びた巻軸と、前記複数の巻取ロールの外周に接触する、巻取ロール毎のタッチローラと、前記巻軸と平行に支持した、各タッチローラに共通の回転可能な支持軸と、前記支持軸に回転力を付与する駆動装置と、前記タッチローラの端部を支持するタッチローラ支持腕とを備えるシート巻取装置において、前記タッチローラ支持腕は、前記支持軸上をスライドさせて所要位置につけることができると共に前記支持軸に該支持軸と一緒に回転するよう装着した基台と、タッチローラを巻取ロールに押付けたとき上下方向に撓む、厚みより前記支持軸に平行する幅の方が大きい、前記基台に一端を固着した板状の鋼製腕部材と、前記鋼製腕部材の他の一端に固着した、前記タッチローラの端部を把持する保持具とを備えることを特徴とするシート巻取装置。
【発明の詳細な説明】
【０００１】
【発明の属する技術分野】
本発明は、一つの巻軸上に複数のシートを同時に巻取るシート巻取装置に関する。
【０００２】
【従来の技術】
従来、シート巻取装置には、巻取ロールに接触圧を付与するために、機枠に軸受を介して取り付けた軸体と、軸体を回転駆動可能な駆動装置と、軸体に軸心長手方向にスライド可能に装着した、少なくとも一対のブラケットと、各ブラケットに回転自在に装着した、タッチローラを支持するためのアームと、アームとブラケットとを連結する弾性体とを備えたものがある（特公平６−４３２２０号参照）。
【０００３】
【発明が解決しようとする課題】
ところが、前述のシート巻取装置では、タッチローラがシート幅方向に振れないよう、それを確実に支持するために、アームの幅や厚みを大きくしてアームに十分な剛性を与えるので、アームの重量や慣性力が大きくなる。またアームは、ブラケットに軸受を介して装着するので、ブラケットに対して多少の回転抵抗を有している。それゆえ、アームはその慣性及び軸受部の回転抵抗により軽快な動作を妨げられ、その結果、例えば薄物フィルムの巻取り等において小さな接触圧を付与する必要がある場合に、接触圧が不正確になり易く、それが巻取不良の原因となる。
【０００４】
【課題を解決するための手段】
そこで本発明は、同時に複数のシートを巻取って複数の巻取ロールを形成する、水平に伸びた巻軸と、前記複数の巻取ロールの外周に接触する、巻取ロール毎のタッチローラと、前記巻軸と平行に支持した、各タッチローラに共通の回転可能な支持軸と、前記支持軸に回転力を付与する駆動装置と、前記タッチローラの端部を支持するタッチローラ支持腕とを備えるシート巻取装置において、前記タッチローラ支持腕は、前記支持軸上をスライドさせて所要位置につけることができると共に前記支持軸に該支持軸と一緒に回転するよう装着した基台と、タッチローラを巻取ロールに押付けたとき上下方向に撓む、厚みより前記支持軸に平行する幅の方が大きい、前記基台に一端を固着した板状の鋼製腕部材と、前記鋼製腕部材の他の一端に固着した、前記タッチローラの端部を把持する保持具とを備えることを特徴とする。
【０００５】
鋼製腕部材は厚みより幅の方が大きいため上下方向に容易に撓む。しかし鋼製腕部材はシート幅方向の剛性が大きいので、タッチローラを、巻取中にシート幅方向に振れないよう確実に保持することができる。そして支持軸に駆動装置から支持軸に回転力を与えると、鋼製腕部材は支持軸と共に回転してタッチローラを巻軸上に押し付ける。そしてタッチローラを巻取ロールに押し付けたとき、その反作用で鋼製腕部材が撓み、その撓み量に応じた力で、タッチローラを巻取ロールに弾力的に接触させることができる。
【０００６】
【発明の実施の形態】
本発明のシート巻取装置は、同時に複数のシートを巻取って複数の巻取ロールを形成する、水平に伸びた巻軸と、前記複数の巻取ロールの外周に接触する、巻取ロール毎のタッチローラと、前記巻軸と平行に支持した、各タッチローラに共通の回転可能な支持軸と、前記支持軸に回転力を付与する駆動装置と、前記タッチローラの端部を支持するタッチローラ支持腕とを備える。
【０００７】
そして前記タッチローラ支持腕は、支持軸上をスライドさせて所要位置につけることができると共に前記支持軸に該支持軸と一緒に回転するよう装着した基台と、タッチローラを巻取ロールに押付けたとき上下方向に撓む、厚みより前記支持軸に平行する幅の方が大きい、前記基台に一端を固着した板状の鋼製腕部材と、前記鋼製腕部材の他の一端に固着した、前記タッチローラの端部を把持する保持具とを備える。
【０００８】
【実施例】
次に、図面を参照して本発明の実施例を説明する。図１に示すように、シート巻取装置においてシートＳは、水平に伸びた巻軸１の外周に装着した巻芯Ｃのまわりにロール状に巻取られ、巻取ロールＲとなる。巻取中、巻取ロールＲの外周には、タッチローラ支持腕２で支持したタッチローラ３が接触する。
【０００９】
タッチローラ支持腕２は、巻軸１に平行に設けた支持軸４に装着した基台５と、この基台５に一端６ａを固着した板状の鋼製腕部材６と、タッチローラ３の端部を保持する、鋼製腕部材６の他の一端６ｂに固着した保持具７とを備える。
【００１０】
支持軸４は、その長手軸線を中心に回転可能に設けてあり、その断面が四角形になるよう形成してある。そして基台５は支持軸の外周に嵌めてある。したがって基台５は支持軸４と一緒に回転することができる。また基台５は、押さえ板８とクランプネジ９とを備えており、鋼製腕部材６の一端を基台５の上面と押さえ板８との間に挿入してクランプネジ９を締め付けることにより、それを固く保持できるようになっている。
【００１１】
保持具７は、タッチローラ３の胴体から突出した中心軸３ａを把持し、図示のように、それに形成した溝に鋼製腕部材６の他の一端６ｂを受け入れ、それをクランプネジ１０で締め付けて固定することができる。この実施例によれば保持具７はタッチローラ３の中心軸３ａを常時把持しており、タッチローラ３を取り外す必要が生じた場合には、保持具７を鋼製腕部材６から取り外す。もっとも、保持具７は鋼製腕部材６に常時固着し、タッチローラ３は保持具７から解放して取り外すようにしてもよい。
【００１２】
支持軸４は駆動装置１１により回転力を付与される。駆動装置１１は、この実施例では支持軸４の一端に設けた腕４ａにピストンロッド１１ａの先端を連結しシリンダの上端部を機枠５に枢着した流体圧シリンダ装置である。
【００１３】
鋼製腕部材６は、図２に示すように厚みより支持軸４に平行する幅を大きく形成してある。そして、この実施例ではバネ鋼でできており、その厚みが３．８ミリメートル、幅が２０ミリメートル、長さが約３００ミリメートルである。
【００１４】
本発明によれば、鋼製腕部材６はバネ鋼に限らず、必要に応じて高速度鋼、ステンレス鋼、クロムモリブデン鋼等、バネ鋼と同様な機能を果たす公知の材料を用いることができ、また腕部材８の厚み、幅、長さも上述の値に限定されるものではなく、必要に応じて変わり得る。
【００１５】
図３に示すように、巻軸１は機枠１２、１２間に掛け渡してあり、一本で複数のシートＳを同時に個々の巻芯Ｃのまわりに巻取って複数の巻取ロールＲを形成する。各シートＳはこの実施例では図示しないスリッターにより広幅帯状シートを複数条に切断したものである。タッチローラ３は各巻取ロールＲ毎に備えてあり、それぞれの端部を前述のタッチローラ支持腕２で支持してある。支持軸４は、その両端部を機枠１２、１２に設けた軸受１３、１３で支持してあり、各タッチローラ支持腕２に共通である。タッチローラ支持腕２に備えた基台５は、支持軸４上をスライドさせて所要位置につけることができる。それゆえシート幅、巻取位置の変更に応じてタッチローラ支持腕２によるタッチローラ３の支持位置を変えることができる。
【００１６】
【発明の効果】
本発明によれば、タッチローラ支持腕は、厚みより幅の大きい板状の鋼製腕部材でタッチローラを保持するので、各タッチローラを巻取ロールに弾力的に接触させることができ、腕部材の軽量化が可能であり、また腕部材を軸受なしで支持軸に装着できるため、従来のように腕部材の回転抵抗の影響を全く受けることがない。それゆえ、軽快に動作するタッチローラを得ることができ、巻取ロール表面をタッチローラで確実にトレースすることが可能になる。そして構成が簡素で小型化が可能なタッチローラ支持装置を得ることができる。
【００１７】
また、各巻取ロールに外径差が生じても、それに各々のタッチローラをほぼ同じ力で押し付けることができ、高品質の巻取ロールを得ることが可能になる。しかも軸受やバネが不要であるため構造が簡素になり、タッチローラ部分の占有空間が少なくて済み、小型で操作性の良いものを得ることができる。
【図面の簡単な説明】
【図１】本発明の一実施例に係るシート巻取装置の概略側面図である。
【図２】タッチローラ支持腕の鋼製腕部材を横断面で示す正面図である。
【図３】本発明の一実施例に係るシート巻取装置の概略平面図である。
【符号の説明】
Ｓ  シート
Ｒ  巻取ロール
１  巻軸
２  タッチ支持装置
３  タッチローラ
４  支持軸
５  基台
６  鋼製腕部材
７  保持具
１１  駆動装置
【図１】
0003812061.tif 000002
【図２】
0003812061.tif 000003
【図３】
0003812061.tif 000004